【手続補正書】
【提出日】平成20年3月10日(2008.3.10)
【手続補正１】
【補正対象書類名】特許請求の範囲
【補正対象項目名】全文
【補正方法】変更
【補正の内容】
【特許請求の範囲】
【請求項１】
内部光伝送路に結合された複数の光変調器を含む光変調部と、上記光変調部に供給すべき複数の高速直列デジタル信号列を発生する電気回路部とからなる光伝送装置であって、上記電気回路部が、
それぞれがＮビット（Ｎは複数）並列で低速デジタル信号を転送する複数の並列信号路と、
それぞれ上記並列信号路のうちの１つからＮビット並列で受信した低速デジタル信号を上記光変調部に供給すべき高速直列デジタル信号列に変換して出力する複数の多重化回路と、
上記並列信号路のうちの少なくとも１つに挿入された遅延制御バッファ回路とを有し、
上記遅延制御バッファ回路が、Ｎビット並列で受信した低速デジタル信号を高速直列デジタル信号列のビット時間単位、もしくはビット時間の整数分の１の時間単位で遅延制御して、該並列信号路に出力することを特徴とする光伝送装置。
【請求項２】
前記遅延制御バッファ回路が、Ｎビット並列で受信した低速デジタル信号を論理的に直列に配列されたデータとして一時的に蓄積し、予め指定された遅延制御量に応じて選択されたビット位置から始まるＮビットデータを前記並列信号路に低速デジタル信号として出力することを特徴とする請求項１に記載の光伝送装置。
【請求項３】
前記遅延制御バッファ回路が、Ｎビット並列で受信したデジタルデータを一時的に蓄積するためのメモリと、Ｎビット並列データの書き込みアドレスを発生する書き込みアドレス発生器と、予め指定された遅延制御量を記憶するレジスタと、上記書き込みアドレス発生器から出力された書き込みアドレスと上記レジスタに記憶された遅延制御量とに基づいて、前記並列信号路に出力すべきＮビットデータの読み出しアドレスを生成する読み出しアドレス発生器とを備えたことを特徴とする請求項１に記載の光伝送装置。
【請求項４】
前記電気回路部が、予め指定された制御量に応じて、特定の多重化回路に供給されるクロック信号の位相を調整する遅延量微調整部を備え、前記各多重化回路に、供給されたクロック信号に応じた所定のタイミングで高速直列デジタル信号列の各ビットを出力させることを特徴とする請求項１〜請求項３の何れかに記載の光伝送装置。
【請求項５】
前記並列信号路のうちの複数が前記遅延制御バッファ回路を備え、
前記電気回路部が、前記並列信号路と対応して遅延制御量を記憶するメモリと、上記メモリに記憶された遅延制御量を上記遅延制御バッファ回路に設定する制御部とを有することを特徴とする請求項１〜請求項４の何れかに記載の光伝送装置。
【請求項６】
前記電気回路部が、前記並列信号路と対応して遅延制御量とクロック位相制御量とを記憶するメモリと、上記メモリに記憶された遅延制御量とクロック位相制御量を前記遅延制御バッファ回路と遅延量微調整部に設定する制御部とを有することを特徴とする請求項４に記載の光伝送装置。
【請求項７】
外部光伝送路から受信した多値変調光信号を電気的な複数の高速直列デジタル信号列に変換して出力する光復調部と、上記光復調部から受信した複数の高速直列デジタル信号列を複数の低速デジタル信号列に変換して出力する電気回路部とからなる光伝送装置であって、上記電気回路部が、
それぞれがＮビット（Ｎは複数）並列でデジタル信号を転送する複数の並列信号路と、
それぞれが高速直列デジタル信号列をＮビット並列の低速デジタル信号に変換して、上記並列信号路に出力する複数の分離回路と、
上記並列信号路のうちの少なくとも１つにおいて、Ｎビット並列で受信した低速デジタル信号を高速直列デジタル信号列のビット時間単位、もしくはビット時間の整数分の１の時間単位で遅延制御して出力する遅延制御バッファ回路と、
上記並列信号路から受信したＮビット並列の複数の低速デジタル信号を符号形式の異なる低速並列デジタル信号列に変換する少なくとも１つの復号器とからなることを特徴とする光伝送装置。
【請求項８】
前記遅延制御バッファ回路が、Ｎビット並列で受信した低速デジタル信号を倫理的論理的に直列に配列されたデータとして一時的に蓄積し、予め指定された遅延制御量に応じて選択されたビット位置から始まるＮビットデータを前記並列信号路に低速デジタル信号として出力することを特徴とする請求項７に記載の光伝送装置。
【請求項９】
前記遅延制御バッファ回路が、Ｎビット並列で受信したデジタルデータを一時的に蓄積するためのメモリと、Ｎビット並列データの書き込みアドレスを発生する書き込みアドレス発生器と、予め指定された遅延制御量を記憶するレジスタと、上記書き込みアドレス発生器から出力された書き込みアドレスと上記レジスタに記憶された遅延制御量とに基づいて、前記並列信号路に出力すべきＮビットデータの読み出しアドレスを生成する読み出しアドレス発生器とを備えたことを特徴とする請求項８に記載の光伝送装置。
【請求項１０】
前記電気回路部が、前記復号器として、位相変調用の復号器、多値変調用の復号器、トリレス復号器のうちの少なくとも１つを含むことを特徴とする請求項７〜請求項９の何れかに記載の光伝送装置。
【手続補正２】
【補正対象書類名】明細書
【補正対象項目名】００５９
【補正方法】変更
【補正の内容】
【００５９】
上記信号伝搬時間差を補償するため、第２の信号経路に挿入された遅延制御バッファ回路１０５−２の遅延量設定レジスタ１３６には、遅延ビット数Ｄとして「９」ビットが設定される。遅延制御バッファ回路１０５−２は、入力された低速並列信号を高速直列信号９ビット分だけ遅延して出力する。その結果、遅延制御バッファ回路１０５−２の出力では、図５（Ｃ）に示すように、信号線ｄ０から入力された斜線部のビットデータ「１」が、低速並列デジタル信号の２ビットスロット分（高速直列信号で８ビット分）遅れたタイミングで、１ビットずれた信号線ｄ１に出力される。
【手続補正３】
【補正対象書類名】明細書
【補正対象項目名】００６１
【補正方法】変更
【補正の内容】
【００６１】
多重化回路１０６−１から出力された高速直列デジタル信号は、伝送路１０７−１を通って光位相変調器１０９−１に供給され、光信号に変換した後、光ファイバ遅延線１１１−１を介して光位相変調器１０９−２に到着する。ＰＳＫ符号器１０３から出力された経路１１４−１の信号が光位相変調器１０９−２に到着する迄の総遅延時間をＴ１として、経路１１４−１の送信信号が光位相変調器１０９−２に到着するタイミングを図５（Ｆ）に示す。一方、多重化回路１０６−１から出力された経路１１４−２の信号が、信号路１０７−１で受ける遅延時間をＴ２として、光位相変調器１０９−２への到着タイミングを図５（Ｇ）に示す。遅延ビット数Ｄ（＝９ビット）が、遅延時間Ｔ２とＴ１の差に相当していれば、図５（Ｅ）、（Ｆ）から判るように、斜線部のビット情報が、同一のタイミングで光位相変調器１０９−２から出力されることになる。
【手続補正４】
【補正対象書類名】明細書
【補正対象項目名】００８８
【補正方法】変更
【補正の内容】
【００８８】
基準光受信器から出力される低速データ信号のデータパターンを観測しながら、特異パターンが検出される迄（５０５）、テストパターンの繰り返し周期で測定対象遅延制御バッファ回路１０５−１の遅延制御量を１ビットずつ増加する（５０４）。基準光受信器側で特異パターンが検出された時点で、測定対象遅延制御バッファ回路の遅延制御量の増加を停止し、次の遅延制御バッファ回路１０５−２を測定対象に選択して（５０２）、同様の動作を繰り返す。全ての遅延制御バッファ回路について、最適な遅延制御量が決定された時点で、遅延制御バッファ回路毎の設定遅延値を記録し（５０６）、測定ルーチン５００の実行を完了する。
【手続補正５】
【補正対象書類名】明細書
【補正対象項目名】００９９
【補正方法】変更
【補正の内容】
【００９９】
光伝送装置１６５−１が示すように、各光伝送装置１６５は、上り、下りの各方向で、光波長分波器１６７（１６７−１、１６７−２）を介して受信側光ファイバ伝送路に結合された複数の光受信器（ＲＸ）２００（２００−１〜２００−３、２００−４〜２００−６）と、光波長合波器１６６（１６６−１、１６６−２）を介して送信側光ファイバ伝送路に結合された複数の光送信器（ＴＸ）１００（１００−１〜１００−３、１００−４〜１００−６）とを備えている。
【手続補正６】
【補正対象書類名】明細書
【補正対象項目名】０１２７
【補正方法】変更
【補正の内容】
【０１２７】
Ｑ成分（Ｉ成分）の４値高速直列信号は、図６に示した第１実施例の光受信器におけるフォトダイオード２０５の出力信号処理と同様、３組のクロック抽出・識別回路１５４−１〜１５４−３（１５４−４〜１５４−６）によって、３本の高速直列デジタル信号に変換され、分離回路１５５−１〜１５５−３（１５５−４〜１５５−６）と遅延制御バッファ回路１０５−１〜１０５−３（１０５−４〜１０５−６）を経て、Ｑ成分（Ｉ成分）４値強度変調用の並列復号器２１１−１（２１１−２）で復号される。
【手続補正７】
【補正対象書類名】明細書
【補正対象項目名】０１３１
【補正方法】変更
【補正の内容】
【０１３１】
本実施例では、遅延制御バッファ回路１０５−１、１０５−２によって、入力ファイバ２０２の端から復号器２２３までの間に存在する複数経路の遅延時間を等しくできるため、入力ファイバ２０２で並列転送されたビット情報を差動位相変調／トレリス復号器２２３に正しい位相で入力することが可能となる。